(57)【要約】【課題】蓋の開閉時の衝撃を緩和することができ、衝撃音の発生を防止できる炊飯器を提供する。【解決手段】炊飯器本体２に蓋３を開閉用ヒンジ４を介して開閉回動可能に取り付ける。開閉用ヒンジ４は、蓋３に取り付けられてカム面６を有するカム部材７と、炊飯器本体２に取り付けられてカム部材７にヒンジ軸８を介して回動自在に枢支連結されたばね収納ケース９と、ばね収納ケース９内に上下方向に摺動自在に収納されカム面６に摺接する突子１０ａを有するカムフォロア１０と、ばね収納ケース９内に収納されカムフォロア１０をカム面６に向けて押付け付勢するばね部材１１とを備える。カム部材７、カムフォロア１０及びばね部材１１によって蓋３の閉じ姿勢への回動方向のトルクに反発するトルクを生じさせてそのバランスにて蓋３が所定の回動角度位置に停止保持するようにしている。【選択図】図２
2008264248.tif 000002
【特許請求の範囲】
【請求項１】
炊飯器本体の上面開口部を覆う蓋が前記炊飯器本体に対し開閉用ヒンジを介して開閉回動可能に取り付けられている炊飯器において、
前記開閉用ヒンジが、炊飯器本体又は蓋の一方に取り付けられてカム面を有する耐熱合成樹脂製のカム部材と、前記炊飯器本体又は蓋の他方に取り付けられ、前記カム部材にステンレス鋼製のヒンジ軸を介して回動自在に枢支連結された耐熱合成樹脂製のばね収納ケースと、このばね収納ケース内に上下方向に摺動自在に収納され、前記カム面に摺接する突子を有する耐熱合成樹脂製のカムフォロアと、前記ばね収納ケース内に収納され、前記カムフォロアを常に前記カム面に向けて押付け付勢するステンレス鋼製のばね部材と、を備えており、前記カム部材、カムフォロア及びばね部材によって前記蓋の閉じ姿勢への回動方向のトルクに反発するトルクを生じさせてそのバランスにて前記蓋が所定の回動角度位置に停止保持するようにしてなることを特徴とする、炊飯器。
【請求項２】
前記ばね収納ケースが前記炊飯器本体又は蓋に凹設した取付穴に抜き差し可能に差し込まれている、請求項１記載の炊飯器。
【請求項３】
前記ばね収納ケースが相対向する両側壁間に配される中仕切り壁により並列状に区画された二つ以上の収納室を有する形に形成され、各収納室内に前記カムフォロアおよびばね部材がそれぞれ収納されており、前記ばね収納ケースの前記両側壁および前記中仕切り壁にはそれぞれ前記ヒンジ軸が挿通支持される軸受孔が同一軸線上に形成されている、請求項１又は２記載の炊飯器。
【請求項４】
前記開閉用ヒンジに、前記炊飯器本体の上面開口部に面する前記開閉用ヒンジの内面側を覆うカバーを装着している、請求項１ないし３のいずれか１項に記載の炊飯器。
【請求項５】
前記カバーはシリコーンゴムで形成している、請求項４記載の炊飯器。
【請求項６】
前記カバーは前記開閉用ヒンジに脱着可能に装着している、請求項４又は５記載の炊飯器。
【発明の詳細な説明】
【技術分野】
【０００１】
本発明は一般家庭などで使用される炊飯器に関する。
【背景技術】
【０００２】
この種の炊飯器は、一般に、炊飯器本体の後部に蓋の後部を開閉用ヒンジを介して開閉自在に取り付ける。開閉用ヒンジは、蓋の後部に取り付けヒンジ軸にねじりコイルばねを挿通し、該ねじりコイルばねの一端部を蓋側に係合させ、他端部を炊飯器本体側に係合させることにより蓋に常に開放方向の付勢力を付与する一方、該蓋の前端部を炊飯器本体の前部にフックにより係合し、そのフック係合をフックボタンの操作により解除して蓋を自動開放するようにしている（例えば、特許文献１参照。）。
【０００３】
【特許文献１】特開２００２−２３８７４６号公報
【発明の開示】
【発明が解決しようとする課題】
【０００４】
しかしながら、開閉用ヒンジのねじりコイルばねにより蓋を常に開放方向に付勢している上記炊飯器では、フックボタンの操作に伴いより蓋がねじりコイルばねによる強い付勢力により勢いよく開くため、衝撃、振動が発生するという問題があった。
【０００５】
本発明は、このような問題を解決するためになされたもので、蓋の開閉時の衝撃を緩和することができ、衝撃音の発生を防止できる炊飯器を提供することを目的とする。
【課題を解決するための手段】
【０００６】
本発明は、請求項１に記載のように、炊飯器本体の上面開口部を覆う蓋が前記炊飯器本体に対し開閉用ヒンジを介して開閉回動可能に取り付けられている炊飯器において、前記開閉用ヒンジが、炊飯器本体又は蓋の一方に取り付けられてカム面を有する耐熱合成樹脂製のカム部材と、前記炊飯器本体又は蓋の他方に取り付けられ、前記カム部材にステンレス鋼製のヒンジ軸を介して回動自在に枢支連結された耐熱合成樹脂製のばね収納ケースと、このばね収納ケース内に上下方向に摺動自在に収納され、前記カム面に摺接する突子を有する耐熱合成樹脂製のカムフォロアと、前記ばね収納ケース内に収納され、前記カムフォロアを常に前記カム面に向けて押付け付勢するステンレス鋼製のばね部材と、を備えており、前記カム部材、カムフォロア及びばね部材によって前記蓋の閉じ姿勢への回動方向のトルクに反発するトルクを生じさせてそのバランスにて前記蓋が所定の回動角度位置に停止保持するようにしてなることに特徴を有するものである。
上記構成の炊飯器によれば、蓋を開放するときカム部材のカム面とカムフォロアの突子との接触面間に生じる摩擦力で蓋の開蓋速度が低下し、蓋は静かに全開状態に停止する。したがって、蓋が全開姿勢に達した時のショックが緩和され、衝撃音の発生を防止できて静音化にもなる。
また、カム部材、カムフォロア及びばね部材によって蓋の閉じ姿勢への回動方向のトルクに反発するトルクを発生させることで、蓋が閉じ姿勢に達する時の衝撃を緩和することができ、衝突音の発生を防止でき、また蓋を手で持ち上げて開くときに要する操作力を軽減できる。
【０００７】
請求項１記載の炊飯器は、請求項２に記載のように、前記ばね収納ケースが前記炊飯器本体又は蓋に凹設した取付穴に抜き差し可能に差し込む構成を採用することができる。このような構成によれば、炊飯器本体に対し蓋を開閉用ヒンジを介して着脱可能に取り付けられる。これにより蓋を容易に洗浄することができる。
【０００８】
請求項１又は２記載の炊飯器は、請求項３に記載のように、前記ばね収納ケースが相対向する両側壁間に配される中仕切り壁により並列状に区画された二つ以上の収納室を有する形に形成され、各収納室内に前記カムフォロアおよびばね部材がそれぞれ収納されており、前記ばね収納ケースの前記両側壁および前記中仕切り壁にはそれぞれ前記ヒンジ軸が挿通支持される軸受孔が同一軸線上に形成されているという構成を採用することができる。
この構成によると、カムフォロアを常にカム部材のカム面に向けて押付け付勢するばね部材を二つ以上並列させて使用することにより個々のばね部材には、単一使用のばね部材よりも自由高さ（有効巻数）やコイル径、線径等が小さい圧縮コイルばねを使用することで足りることになるため、それだけ耐熱合成樹脂製のばね収納ケースへのばね荷重負担を軽減でき、該ばね収納ケースを小型、薄型、軽量化することができる。
また、ヒンジ軸はばね収納ケースの両側壁に設けた軸受孔と中仕切り壁に設けた軸受孔の三つ以上の軸受孔に挿通させて３点以上で荷重分担して軸受けするようにしてあるので、ヒンジ軸を２点のみで受ける仕様形態のばね収納ケースの軸受部に比し個々の軸受孔を有する軸受部を単純な断面形状、薄型にしても当該箇所の変形、破損を防止できることになり、ばね収納ケースの小型、薄型、軽量化に大いに貢献でき、延いては開閉用ヒンジ全体の小型、軽量化を図ることができる。
【０００９】
請求項１ないし３のいずれか１項に記載の炊飯器は、請求項４に記載のように、前記開閉用ヒンジに、前記炊飯器本体の上面開口部に面する前記開閉用ヒンジの内面側を覆うカバーを装着した構成を採用することができる。この構成によると、米粒が開閉用ヒンジ、とくにカム部材とカムフォロア又はばね収納ケースとの間に噛み込むのを防止でき、また異物が開閉用ヒンジ、とくにカム部材とカムフォロア又はばね収納ケースとの間に浸入するのを防止でき、更に手をカム部材とカムフォロア又はばね収納ケースとの間で挟むのを防止できて安全である。
【００１０】
請求項４記載の炊飯器は、請求項５に記載のように、前記カバーはシリコーンゴムで形成した構成を採用することができる。この構成によると、開閉用ヒンジを衛生的に保つことができる。
【００１１】
請求項４又は５記載の炊飯器は、請求項６に記載のように、前記カバーは前記開閉用ヒンジに脱着可能に装着した構成を採用することができる。この構成によると、米粒などが付着して汚れた場合にはこれを取り外して洗うことができ、常に清潔に保つことができる。
【発明の効果】
【００１２】
本発明の炊飯器によれば、蓋の開閉時の衝撃を緩和することができ、衝撃音の発生を防止できるという効果を奏する。
【発明を実施するための最良の形態】
【００１３】
本発明の好適な実施形態を図面に基づき説明する。図１は本発明の一実施例の炊飯器を蓋を半開き状態でかつ一部破断状態で示す側面図、図２は図１における要部の拡大断面図、図３は蓋を全閉した状態で示す要部拡大断面図、図４は蓋を全開した状態で示す要部拡大断面図、図５は図１の炊飯器の開閉用ヒンジを前側から見て示す分解斜視図、図６は同開閉用ヒンジを後ろ側から見て示す分解斜視図である。
【００１４】
図１、図２において、本発明の一実施例を示す炊飯器は、上面が開口され内部に内釜１を出し入れ可能に収納した炊飯器本体２に、炊飯器本体２の上面開口部２ａを覆う蓋３が開閉用ヒンジ４を介して開閉回動可能に取り付けられている。開閉用ヒンジ４は、炊飯器本体２の上面に対し、蓋３が図１，２の開き途上を経て更に開くことで垂直もしくは垂直に近い状態に開く姿勢（図４参照）と、炊飯器本体２の上面に水平もしくは水平に近い状態に閉じる姿勢（図３参照）とにわたって開閉回動するようにしたものである。
【００１５】
図１、図２に示すように、炊飯器本体２の上面後部には蓋３を取り付けるための断面四角形の取付穴５を凹設している。開閉用ヒンジ４は蓋３の後方の回動基端側に取り付けられる。すなわち、開閉用ヒンジ４は、蓋３の後方の回動基端側に垂下状に取り付けられてカム面６を有するカム部材７（図５、図６参照）と、図５、図６に示すように相対向する左右の両側壁９ａ，９ｂと、前後の両側壁９ｃ，９ｄ、および底壁９ｅにより四角形の有底筒状に形成され、両側壁９ａ，９ｂの各上端部間に前記カム部材７をヒンジ軸８回りに回動自在に枢支連結したばね収納ケース９と、このばね収納ケース９内に上下方向に摺動自在に収納され、カム部材７のカム面６に摺接する突子１０ａを上端に有する四角形筒状の一対のカムフォロア（スライダー）１０（図５、図６参照）と、ばね収納ケース９内のカムフォロア１０の下方に収納され、カムフォロア１０を常にカム部材７のカム面６に向けて押付け付勢する圧縮コイルばね等によるばね部材１１（図５、図６参照）とを備える。ばね部材１１は、蓋３の自重による閉方向のモーメントに抗してカム部材７を含む蓋３に開放方向のモーメントを与えるばね定数を有するものが使用される。
【００１６】
炊飯器本体２や蓋３に帯びる熱や、蓋３につく結露、炊飯器本体２や蓋３の洗浄などの対策として、ヒンジ軸８やばね部材１１は耐食性、耐熱性に優れるステンレス鋼材料からなり、カム部材７、ばね収納ケース９、及びカムフォロア１０は耐熱性、耐クリープ性、耐薬品性に優れるＰＢＴ（ポリブチレンテレフタレート）等の合成樹脂材料からなる。
【００１７】
蓋３はばね収納ケース９を炊飯器本体２の取付穴５に抜差し可能に差し込むことで炊飯器本体２に対し開閉用ヒンジ４ごと着脱可能に取り付けられる。これにより開閉用ヒンジ４ごと蓋３を水洗いなどで容易に洗浄することができる。
【００１８】
次に、上記のように構成された炊飯器の蓋３の開閉動作について図２〜図４を参照して説明する。
【００１９】
蓋３は、図３の閉じ状態から図２の開き途上を経て図４のように開角９０度付近にまで全開させるが、このとき、カム部材７、カムフォロア１０及びばね部材１１によって生じている蓋３の閉じ姿勢への回動方向のトルクに反発するトルクの作用により軽い操作力で蓋３を全開させることができる。このときカム部材７のカム面６とカムフォロア１０の突子１０aとの接触面間に生じる摩擦力で蓋３の開蓋速度が低下し、蓋３の開放動作は強過ぎることなく、静かに開放でき、衝撃、振動が少ない開放動作を行うことができる。この全開姿勢では、図４のように、カムフォロア１０の突子１０ａがカム面６上におけるヒンジ軸８に最寄り箇所付近６ａに接触してばね部材１１が伸長した状態にあり、これにより蓋３の全開姿勢が保持される。
【００２０】
この全開姿勢から蓋３を閉じ方向にヒンジ軸８回りに回動させて行くと、カム部材７のカム面６上におけるヒンジ軸８より次第に遠ざかる箇所でカムフォロア１０の突子１０ａが次第に強く押圧されて行くに従いカムフォロア１０がばね部材１１を漸次縮小させながら深く押下げて行くが、このとき、蓋３の閉じ姿勢への回動方向のトルクに反発するトルクがカム部材７、カムフォロア１０及びばね部材１１により生じてそのバランスにて蓋３は所定回動角度位置に停止保持でき、つまり蓋３を緩やかな速度で閉じることができる。したがって、蓋３が図３のように炊飯器本体２上に水平もしくは水平に近い閉じ状態に達した時の衝撃が緩和され、また衝突音の発生を防止できる。
【００２１】
蓋３が図３のように炊飯器本体２上に全閉した状態では、カムフォロア１０の突子１０ａがカム面６上におけるヒンジ軸８から最も離れた箇所付近６ｂに位置してばね部材１１が最も圧縮した状態で保持される。
【００２２】
上記実施例では、炊飯器本体２側に上方開放状の取付穴５を設け、この取付穴５にカムフォロア１０及びばね部材１１を収納するばね収納ケース９を抜き差し可能に差し込むことにより取り付けるとともに、蓋３にカム部材７を取り付けているが、それとは反対に、炊飯器本体２側にカム部材７を取り付け、蓋３に下方開放状の取付穴５を設け、この取付穴５にカムフォロア１０及びばね部材１１を収納するばね収納ケース９を抜き差し可能に差し込むことにより取り付けることもできる。
【００２３】
また、上記実施例では、開閉用ヒンジ４が、それぞれが単一のカム部材７、ばね収納ケース９、カムフォロア１０、およびばね部材１１で構成されるが、これに代えて、炊飯器の大型容積に対応すべく、図７、図８に示すように、２個若しくは２個以上（図示例では２個）左右に並列するカム部材７、ばね収納ケース９、カムフォロア１０、およびばね部材１１で構成することもできる。この場合、ばね収納ケース９は、全体が四角形の有底筒状に形成され、相対向する左右の両側壁９ａ，９ｂと、前後の両側壁９ｃ，９ｄ、および底壁９ｅを有し、左右の両側壁９ａ、９ｂ間に配される中仕切り壁９ｆにより二つ若しくは二つ以上（図示例では二つ）の収納室１２，１３を左右に並列に区画形成している。両側壁９ａ，９ｂの各上端部および中仕切り壁９ｆの上端部にそれぞれヒンジ軸８が挿通支持される軸受孔１４，１５，１６が同一軸線上に形成される。各収納室１２，１３内に、図２のようにカムフォロア１０及びばね部材１１がそれぞれ上下に配すべく収納される。
【００２４】
このように開閉用ヒンジ４が、ばね部材１１を２個以上並列させて使用することにより、個々のばね部材１１には自由高さ（有効巻数）やコイル径、線径等の小さい圧縮コイルばねを使用することで足り、それだけばね収納ケース９へのばね荷重負担を軽減できるため、ばね収納ケース９を小型、薄型、軽量に成形することができて全体の省スペース化が可能となる。とくに、ヒンジ軸８はばね収納ケース９の三つ以上の軸受孔１４，１５，１６の３点以上で荷重分担して受けるようにしてあるので、軸受孔１４，１５，１６を有する各軸受部は両側壁９ａ，９ｂおよび中仕切り壁９ｆをそれぞれ単に上方へ延長する程度の単純な断面形状に、また薄型に形成しても当該箇所の変形、破損を回避できる。
【００２５】
図９、図１０に示すように、開閉用ヒンジ４には、炊飯器本体２の上面開口部２ａに面する開閉用ヒンジ４の内面側を覆うカバー１７を装着することによって、カム部材７とカムフォロア１０又はばね収納ケース９との間に米粒が噛み込んだり、異物が浸入したりするのを防止する。また、そのようにカバー１７を装着することによりカム部材７とカムフォロア１０又はばね収納ケース９との間で手を挟む事故を防止できて安全である。
【００２６】
カバー１７は開閉用ヒンジ４を衛生的に保つためにシリコーンゴムで形成することが好ましい。またカバー１７は米粒などの付着により汚れた場合にはこれを取り外して洗うことができるように開閉用ヒンジ４に脱着可能に装着する。
【００２７】
更に詳しくは、カバー１７は、図１１に示すように、開閉用ヒンジ４全体の内面側を必要且つ十分に覆い得る大きさのカバー本体１８ａと、カバー本体１８ａの上端側の両側部から後方へ延出した一対の腕部１８ｂとを有する形に形成する。各腕部１８ｂの後端にはヒンジ軸８の両端に挿通可能な取付孔１９を設けている。一方、ばね収納ケース９の前側壁９ｃの上部にはカバー１７のカバー本体１８ａがこれの下端から出入り可能なカバー収納ポケット２０を形成している。かくして、カバー１７は一対の腕部１８ｂの各取付孔１９をばね収納ケース９の軸受孔１４，１６から突出するヒンジ軸８の両端部に抜き差し可能に挿通させることにより開閉用ヒンジ４に脱着可能に装着される。蓋３の開閉に伴いカバー１７はカバー本体１８ａをカバー収納ポケット２０に出入りする。
【図面の簡単な説明】
【００２８】
【図１】本発明の一実施例の炊飯器を蓋を半開き状態でかつ一部破断状態で示す側面図である。
【図２】図１における要部の拡大断面図である。
【図３】蓋を全閉した状態で示す要部拡大断面図である。
【図４】蓋を全開した状態で示す要部拡大断面図である。
【図５】図１の炊飯器の開閉用ヒンジを前側から見て示す分解斜視図である。
【図６】同開閉用ヒンジを後ろ側から見て示す分解斜視図である。
【図７】他の実施例の開閉用ヒンジを前側から見て示す分解斜視図である。
【図８】同開閉用ヒンジを後ろ側から見て示す分解斜視図である。
【図９】他の実施例の炊飯器の一部を蓋を半開き状態で示す透視図である。
【図１０】図９における要部の断面図である。
【図１１】図９の実施例の開閉用ヒンジを前側から見て示す分解斜視図である。
【符号の説明】
【００２９】
２  炊飯器本体
２ａ  上面開口部
３  蓋
４  開閉用ヒンジ
５  取付穴
６  カム面
７  カム部材
８  ヒンジ軸
９  ばね収納ケース
９ａ，９ｂ  側壁
９ｆ  中仕切り壁
１０  カムフォロア
１０ａ  突子
１１  ばね部材
１２，１３  収納室
１４，１５，１６  軸受孔
１７  カバー
【図１】
2008264248.tif 000003
【図２】
2008264248.tif 000004
【図３】
2008264248.tif 000005
【図４】
2008264248.tif 000006
【図５】
2008264248.tif 000007
【図６】
2008264248.tif 000008
【図７】
2008264248.tif 000009
【図８】
2008264248.tif 000010
【図９】
2008264248.tif 000011
【図１０】
2008264248.tif 000012
【図１１】
2008264248.tif 000013